(57)【特許請求の範囲】
【請求項１】
開口部を備えた立体形状からなり、食品が収納される本体部と、
前記開口部の上縁から延設され、前記本体部と一体に形成された支持部と、を含む食品可搬用パッケージであって、
前記食品とは異なる食品が収納される容器が前記支持部に支持され、
前記本体部の側面に前記支持部の一部を接合する接合部を備え、
前記支持部は、
開口平面と平行な平面に折り曲げられる第１の支持平面と、
前記第１の支持平面から前記上縁に対向する方向へ延設され、前記第１の支持平面から前記本体部の側面に向けて折り曲げられる第２の支持平面と、
前記第２の支持平面から延設され、前記接合部に接合される切片部とを含み、
前記第１の支持平面は、前記容器を収納するための収納穴であって、前記容器における前記第１の支持平面の位置の形状に対応した第１の収納穴を備え、
前記第２の支持平面は、前記容器における前記第２の支持平面の位置の形状に対応した第２の収納穴を備え、
前記第１の収納穴に、または、前記第１の収納穴および前記第２の収納穴に、前記容器が収納可能に構成され、
前記第１の収納穴が、前記第１の支持平面上において前記本体部側の周縁を残した平面形状の切り欠きを、前記周縁の位置で前記第２の支持平面側へ折り曲げることにより形成される第１の形態、および、前記第２の収納穴が、前記第２の支持平面上において前記本体部側の周縁を残した平面形状の切り欠きを、前記周縁の位置で前記第１の支持平面側へ折り曲げることにより形成される第２の形態、の少なくともいずれかの形態により形成され、
前記第１の形態により前記第１の収納穴が形成される場合において、前記第１の収納穴を形成するために前記周縁の位置で前記第２の支持平面側へ折り曲げられた前記周縁の反対側の端部は前記第２の支持平面における折り曲げられていない部位に当接され、前記第２の形態により前記第２の収納穴が形成される場合において、前記第２の収納穴を形成するために前記周縁の位置で前記第１の支持平面側へ折り曲げられた前記周縁の反対側の端部は前記第１の支持平面における折り曲げられていない部位に当接され、収納穴を形成する支持平面どうしが当接されている、
食品可搬用パッケージ。
【請求項２】
前記接合部は、前記本体部の側面に設けられた切り込みであって、前記切り込みに前記切片部が係止されて接合される、請求項１に記載の食品可搬用パッケージ。
【請求項３】
前記食品可搬用パッケージは、所定の形状を備えた平面部材を折り曲げて立体形状に形成され、かつ、その側面視において、前記第１の支持平面と前記第２の支持平面と前記本体部の側面とにより三角形を形成する、請求項１または請求項２に記載の食品可搬用パッケージ。
【発明の詳細な説明】
【技術分野】
【０００１】
本発明は、ファーストフード店等で販売されて購入者が嗜好に応じてソース、ディップ、香辛料、薬味等をつけて食べるフライドポテト、フリッター、サラダ、生野菜、棒状菓子（スティック状のパイ）等の食品を収納にするための食品用のパッケージに関し、特に、ソースやディップとともに食品を可搬しやすいパッケージに関するものである。
【背景技術】
【０００２】
一般的に、ファーストフード店等では調理済の食品（フライドポテト、フリッター、サラダ、生野菜、棒状菓子（スティック状のパイ）等）をいろいろな形態の使い捨てパッケージに入れて提供する。パッケージの形状は、収納する食品に対応した形状であって、かつ、持ち運びやすさ（可搬しやすさ）を高めるように構成されている。
また、このような食品に味付けをする調味料（ソース、ディップ、香辛料、薬味等）が知られている。ファーストフード店においてもこのような調味料をつけながら食べる食品が販売されている。このような食品を購入して店舗外で歩きながら食べる場合、食品が収納されているパッケージを手で持って、パッケージに入っている食品を手で掴んで、調味料が収納されているソース容器にその食品を部分的に浸したり入れたりすることになる。
【０００３】
しかしながら、片方の手でパッケージを持って、他方の手でソース容器を持ったのでは両手が塞がってしまい、食品を摘むことすらできないので、食品が収納されたパッケージにより調味料が収納された容器を支持しなければならないことになる。このような調味料が収納されたソース容器を支持する食品用のパッケージが、特表２００４−５１３６９４号公報（特許文献１）の図１〜図４、特許第５４８７３１８号公報（特許文献２）の図９に、開示されている。
【先行技術文献】
【特許文献】
【０００４】
【特許文献１】特表２００４−５１３６９４号公報
【特許文献２】特許第５４８７３１８号公報
【発明の概要】
【発明が解決しようとする課題】
【０００５】
しかしながら、特許文献１の図１および図２ならびに特許文献２の図９に開示されたパッケージは、ソース容器を支持する支持体の端部が本体部から延設され、逆側の端部は支持体がなく単なる１枚の紙からなる自由端となっているために、ソース容器の形状または重量によっては、支持体が下方へ変形してしまう。この対策として、特許文献１ではパーティション１４Ａ（図３）、折り曲げアーム１７（図４）を設けたり、特許文献２ではパネル９４４を本体部から上方が開いたＵ字状の折り目線９２１で延設したりしているものの、上述したように端部が１枚の紙の自由端であるためにソース容器を安定して支持することができない。さらに、特許文献２のようにＵ字状の折り目線９２１を設けたのでは、その曲面によりソース容器を支持するためにソース容器を安定して支持することができない。なお、自由端による問題点を解決するための他の方策としては、紙を厚くすることも考えられるが、コストが上昇する等の別の問題点がある。
【０００６】
本発明は、従来技術の上述の問題点に鑑みて開発されたものであり、その目的とするところは、食品が収納される本体部の開口部の上縁から延設されて（ソース）容器を支持する支持部を備えた食品可搬用パッケージであって、安定して（ソース）容器を支持することのできる食品可搬用パッケージを提供することである。
【課題を解決するための手段】
【０００７】
上記目的を達成するため、本発明に係る食品可搬用パッケージは以下の技術的手段を講じている。
すなわち、本発明に係る食品可搬用パッケージは、開口部を備えた立体形状からなり、食品が収納される本体部と、前記開口部の上縁から延設され、前記本体部と一体に形成された支持部と、を含む。この食品可搬用パッケージは、前記食品とは異なる食品が収納さ
れる容器が前記支持部に支持され、前記本体部の側面に前記支持部の一部を接合する接合部を備える。前記支持部は、開口平面と平行な平面に折り曲げられる第１の支持平面と、前記第１の支持平面から前記上縁に対向する方向へ延設され、前記第１の支持平面から前記本体部の側面に向けて折り曲げられる第２の支持平面と、前記第２の支持平面から延設され、前記接合部に接合される切片部とを含む。前記第１の支持平面は、前記容器を収納するための収納穴であって、前記容器における前記第１の支持平面の位置の形状に対応した第１の収納穴を備える。
【０００８】
好ましくは、前記接合部は、前記本体部の側面に設けられた切り込みであって、前記切り込みに前記切片部が係止されて接合されるように構成することができる。
さらに好ましくは、前記第２の支持平面は、前記容器における前記第２の支持平面の位置の形状に対応した第２の収納穴を備え、２つの収納穴に前記容器を収納するように構成することができる。
【０００９】
さらに好ましくは、前記第１の収納穴および前記第２の収納穴の少なくとも１つは、前記支持平面上において前記本体部側の周縁を残した平面形状の切り欠きを、前記周縁の位置で他の支持平面側へ折り曲げることにより形成され、前記平面形状における前記周縁に対向する端部は、前記他の支持平面または前記本体部の側面に当接されているように構成することができる。
【００１０】
さらに好ましくは、前記食品可搬用パッケージは、所定の形状を備えた平面部材を折り曲げて立体形状に形成され、かつ、その側面視において、前記第１の支持平面と前記第２の支持平面と前記本体部の側面とにより三角形を形成するように構成することができる。
【発明の効果】
【００１１】
本発明によれば、食品が収納される本体部の開口部の上縁から延設されて（ソース）容器を支持する支持部を備えた食品可搬用パッケージにおいて、安定して（ソース）容器を支持することができるようにした食品可搬用パッケージを提供することができる。
【図面の簡単な説明】
【００１２】
【図１】本発明の実施の形態に係る食品可搬用パッケージの展開図である。
【図２】本発明の実施の形態に係る食品可搬用パッケージの使用態様を示す斜視図である。
【図３】本発明の実施の形態に係る食品可搬用パッケージの側面図（その１）である。
【図４】本発明の実施の形態に係る食品可搬用パッケージの側面図（その２）である。
【図５】本発明の実施の形態に係る食品可搬用パッケージの上面図である。
【発明を実施するための形態】
【００１３】
以下、本発明の実施の形態に係る食品可搬用パッケージ（以下において単にパッケージと記載する場合がある）１００について、図面に基づき詳しく説明する。この食品可搬用パッケージ１００は、図１の展開図に示す所定の形状を備え、予め定められた位置に切り欠き等を有する平面部材である硬質の紙（収納する食品の種類によっては紙の内側がコーティングされていたりデザインのために紙の外側に意匠が施されていても構わない）を折り曲げて、図２の斜視図に示す立体形状に形成され、本体部１１０に食品Ｆが収納されて支持部１５０にソース等を収納したソース容器Ｃが支持されて本体部１１０の側面１１２を手で握って把持するものである。
【００１４】
なお、図１に示す展開図は図１の紙面表側が食品可搬用パッケージ１００の外面側であって、図１に示す点線で山折りにして、一点鎖線で谷折りにして、図１に示す平面部材から、所望の立体形状を備えた図２に示す食品可搬用パッケージ１００が形成される。
以下において、上述した図１および図２に加えて、図３および図４に示す立体形状の食品可搬用パッケージ１００の側面図ならびに図５に示す立体形状の食品可搬用パッケージ１００の上面図を参照して、この食品可搬用パッケージ１００の構造を、立体構造と平面（展開）構造とに分けて詳しく説明した後に、この食品可搬用パッケージ１００の使用方法について詳しく説明する。
【００１５】
［立体構造］
図２〜図５に示すように、この食品可搬用パッケージ１００は、開口部１１４を備えた立体形状からなり（ここでは立体形状は三角錐形状）、食品Ｆが収納される本体部１１０と、開口部１１４の上縁１１６（支持側面１２０の上縁１１６とも言える）から延設され、本体部１１０と平面的には一体に形成され立体的には接合された支持部１５０とを含む。この支持部１５０には、食品Ｆとは異なる食品（食品Ｆにつけるソース等）が収納されるソース容器Ｃが支持される。本体部１１０の１つの側面（支持側面１２０）には支持部１５０の一部（詳しくは切片部１５６）を接合する接合部である切り込み１２４を備える。
【００１６】
さらに、この支持部１５０は、開口部１１４により形成される平面と平行な平面に折り曲げられる第１の支持平面１５２と、第１の支持平面１５２から上縁１１６に対向する方向へ延設され、第１の支持平面１５２から本体部１１０の支持側面１２０に向けて折り曲げられる第２の支持平面１５４と、第２の支持平面１５４から延設され、接合部である切り込み１２４に係止されて接合される切片部１５６とを含む。なお、第１の支持平面１５２は、ソース容器Ｃを収納するための第１の収納穴１５２Ｈが設けられており、この第１の収納穴１５２Ｈは、ソース容器Ｃにおける第１の支持平面１５２の位置の形状に対応した形状を備える。
【００１７】
このような構造を備えるために、図３に示すように、食品可搬用パッケージ１００の側面視において、第１の支持平面１５２と第２の支持平面１５４と本体部１１０の支持側面１２０とにより三角形を形成する。
上述したように、本実施の形態に係る食品可搬用パッケージ１００の本体部１１０の立体形状は三角錐形状としたが、本発明はこれに限定されるものではなく、たとえば、４以上の角錐、４以上の角柱、円錐、円柱、楕円錐、楕円柱、これらを組み合わせた立体形状であっても構わない。錘形状にすると手に持ちやすい点で好ましい。
【００１８】
また、食品可搬用パッケージ１００の支持部１５０の第２の支持平面１５４は、ソース容器Ｃにおける第２の支持平面１５４の位置の形状に対応した第２の収納穴１５４Ｈを備え、２つの収納穴（第１の収納穴１５２Ｈおよび第２の収納穴１５４Ｈ）にソース容器Ｃが収納される。ただし、ソース容器Ｃの高さ方向寸法が小さい場合等には第１の収納穴１５２Ｈのみを設けるようにしても構わない。また、ソース容器Ｃの立体形状は略円筒形状に限定されるものではなく三角柱含むＮ角柱や三角錐を含むＮ角錐や円錐等であっても構わないので（Ｎ＝３、４、５・・・）、２つの収納穴の形状も円形に限定されるものではない。
【００１９】
さらに、食品可搬用パッケージ１００の支持部１５０の第２の支持平面１５４に設けられた第２の収納穴１５４Ｈは、第２の支持平面１５４上において本体部１１０側（立体形状とした場合の本体部１１０側であって平面形状とした場合の本体部１１０逆側）の周縁１５４Ｈ３を残した平面形状の切欠部１５４Ｈ２を、周縁１５４Ｈ３の位置で他の支持平面である第１の支持平面１５２側（上方側）へ折り曲げ、平面形状の切欠部１５４Ｈ１を下方側へ折り曲げることにより形成されている。そして、平面形状の切欠部１５４Ｈ２における周縁１５４Ｈ３に対向する端部１５４Ｈ４は、他の支持平面である第１の支持平面１５２に当接されている。このような構造を備えるために、図３に示すように、食品可搬用パッケージ１００の側面視において、第１の支持平面１５２と第２の支持平面１５４と本体部１１０の支持側面１２０とにより形成された三角形を、第１の支持平面１５２に当接された端部１５４Ｈ４により補強されることになる。
【００２０】
なお、上述したように、第２の支持平面１５４における切欠部１５４Ｈ１および切欠部１５４Ｈ２を所定の方向へ折り曲げることにより第２の収納穴１５４Ｈを形成するとともに端部１５４Ｈ４を第１の支持平面１５２に当接させていたが、第２の支持平面１５４に替えたり第２の支持平面１５４に加えたりして第１の支持平面１５２に切欠部１５４Ｈ１および切欠部１５４Ｈ２に対応する切欠部を設けて両方とも下方へ向けて折り曲げることにより第１の収納穴１５２Ｈを形成するとともに端部１５４Ｈ４に対応する端部を第２の支持平面１５４に当接させるようにしても構わない。
【００２１】
さらに、端部１５４Ｈ４または端部１５４Ｈ４に対応する端部を支持平面に当接させていたが、支持平面ではなく、図３に点線で示すように、上縁１１６の裏面または本体部１１０の支持側面１２０に当接させるようにしても構わない。
［平面（展開）構造］
以上のような立体形状を備えた食品可搬用パッケージ１００は、上述したように図１の展開図に示す平面部材を、点線を山折りに一点鎖線を谷折りに折り曲げて形成されている。図１に示す展開図を参照して、この食品可搬用パッケージ１００の平面（展開）構造について説明する。なお、山折りや谷折りにする部分にその折り線に細長い穴や切り込みを設けるようにすると、折り曲げやすくなる点で好ましい。ただし、図１においては折り曲げ線（点線、一点鎖線）が認識しにくくなるので、このような細長い穴や切り込みは記載していない。
【００２２】
この食品可搬用パッケージ１００は、大きくは、本体部１１０を構成する３つの側面１１２（連接された側面１１２Ａ、側面１１２Ｂおよび側面１１２Ｃ）と、側面１１２Ｃに連接された支持側面１２０と、支持側面１２０の上縁１１６から延設された支持部１５０とで構成される。そして、支持部１５０は、支持側面１２０の上縁１１６から延設された第１の支持平面１５２と、第１の支持平面１５２に延設された第２の支持平面１５４と、第２の支持平面１５４に延設された切片部１５６とで構成される。
【００２３】
本体部１１０を構成する３つの側面１１２および支持側面１２０は、側面１１２Ａと支持側面１２０とを重ね合わせて支持側面１２０に設けられた２つの側面切片部１２２を、側面１１２Ａと側面１１２Ｂとの間に設けられた２つの側面嵌合穴１３２に嵌合させて、この食品可搬用パッケージ１００の本体部１１０である三角錐を構成する。
また、支持側面１２０には、切片部１５６を係止して本体部１１０に支持部１５０を接合する切り込み１２４が設けられている。この切り込み１２４の幅Ｗは、切片部１５６の切片切欠部１５８の幅Ｗに対応している。さらに、この切り込み１２４は、この切り込み１２４を図１の紙面における手前に折り曲げやすくなるように接合切欠部１２６を備える。
【００２４】
支持部１５０は、ソース容器Ｃにおける第１の支持平面１５２の位置の形状に対応した形状を備える第１の収納穴１５２Ｈを備えた第１の支持平面１５２と、ソース容器Ｃにおける第２の支持平面１５４の位置の形状に対応した形状を備える第２の収納穴１５４Ｈを備えた第２の支持平面１５４と、接合部である切り込み１２４に係止されて接合される切片部１５６とで構成される。切片部１５６は、切り込み１２４へ係止しやすいように切片切欠部１５８を備える。
【００２５】
ここで、ソース容器Ｃの形状は、図示したように、蓋を備えた略円筒形状であって、下方に行くに従って細くなるテーパ形状を備えるため、ソース容器Ｃの直径は上方よりも下方が小さくなっている。このため、ソース容器Ｃにおける第１の支持平面１５２の位置の形状である上方の直径Ｃ１よりも、ソース容器Ｃにおける第２の支持平面１５４の位置の形状である下方の直径Ｃ２が小さいので（Ｃ１＞Ｃ２）、第２の収納穴１５４Ｈの直径Ｄ２が第１の収納穴１５２Ｈの直径Ｄ１よりも小さい（Ｄ１＞Ｄ２）。
【００２６】
なお、本実施の形態に係る食品可搬用パッケージ１００においては、ソース容器Ｃの重量は、主として、第２の支持平面１５４ではなく第１の収納穴１５２Ｈを備えた第１の支持平面１５２で支持されるものとする。すなわち、Ｃ１＞Ｃ２かつＤ１＞Ｄ２であって、Ｃ１≒Ｄ１（わずかにＤ１が大きい）かつＣ２＜Ｄ２であって、ソース容器Ｃは第１の収納穴１５２Ｈに嵌合されている。
【００２７】
第１の収納穴１５２Ｈは円形にくり抜かれて穴を形成しているのに対して、第２の収納穴１５４Ｈは略円形の直径部分で分離される切欠部１５４Ｈ１および切欠部１５４Ｈ２をそれぞれ山折りおよび谷折りすることにより穴を形成している。図１に示す周縁１５４Ｈ３から端部１５４Ｈ４までの長さＨは、図３に示す高さＨに対応しており、本体部１１０に支持部１５０を接合（切片部１５６を切り欠き１２４に係止）した場合において、切欠部１５４Ｈ２を周縁１５４Ｈ３を谷折りにし切欠部１５４Ｈ１を山折りにして第２の収納穴１５４Ｈを形成したときに、切欠部１５４Ｈ２の端部１５４Ｈ４は、他の支持平面であ
る第１の支持平面１５２に当接されている。
【００２８】
なお、上述したように、第１の支持平面１５２の第１の収納穴１５２Ｈを、第２の支持平面１５４の第２の収納穴１５４Ｈと同じように２つの切欠部で構成するようにして、第１の収納穴１５２Ｈを形成するとともに端部１５４Ｈ４に対応する端部を第２の支持平面１５４に当接させるようにしても構わないし、図３に点線で示すように、収納穴を形成する切欠部の端部を、上縁１１６の裏面または本体部１１０の支持側面１２０に当接させるようにしても構わない。
【００２９】
また、上述した、接合切欠部１２６および切片切欠部１５８については、本発明における任意的構成である。
［使用方法］
上述したように、本実施の形態に係る食品可搬用パッケージ１００は、図１の展開図に示す平面部材（硬質の紙製）を、点線を山折りに一点鎖線を谷折りに折り曲げて、側面切片部１２２を側面嵌合穴１３２に嵌合させて本体部１１０を形成して、切欠部１５４Ｈ１および切欠部１５４Ｈ２を折り曲げて第２の収納穴１５４Ｈを形成して、切片部１５６を切り欠き１２４に係止して本体部に支持部１５０を接合させて、図２の斜視図に示す立体形状に形成される。
【００３０】
そして、三角錐形状の本体部１１０に食品Ｆを収納して、支持部１５０によりソース容器Ｃを支持する。このようにすると、たとえば図２に示すように左手で本体部１１０を持って（握りしめて）、右手でパッケージに入っている食品Ｆを掴んで（手は左右逆でも構わない）、調味料が収納されているソース容器Ｃに摘んだ食品Ｆを部分的に浸したり入れたりしてから食べることができる。
【００３１】
この場合において、図３に示すように、ソース容器Ｃは第１の支持平面１５２の第１の支持穴１５２Ｈに嵌合して支持されており、第一義的にはソース容器Ｃは第１の支持平面１５２により支持される。上述したように、第１の支持平面１５２と第２の支持平面１５４と支持側面１２０（の上部）とを３辺とする三角形が形成され、その一辺が第一義的にソース容器Ｃの自重を受けている第１の支持平面１５２であるので、ソース容器Ｃ（容器の中身であるソースを含む）はこの三角形により支持されていることになる。
【００３２】
このため、重力によりソース容器Ｃに作用する力Ｆ１は、この三角形の一辺である第１の支持平面１５２に第一義的に作用する。第１の支持平面１５２に作用した力Ｆ１は三角形の他の辺を形成する第２の支持平面１５４に力Ｆ２として作用して、第２の支持平面１５４に作用した力Ｆ２は（切片部１５６を介して）三角形のさらに他の辺を形成する支持側面１２０に力Ｆ３として作用する。
（１）このようにして、重力によりソース容器Ｃに作用する力を三角形の形状により受けるので、力が集中することなく分散して受けることができ、力が集中する作用点がなく補強する必要がない。
（２）先行技術文献のように、ソース容器Ｃを支持する支持部の端部が１枚の紙の自由端でなくなるのでソース容器Ｃを安定して支持することができるようになるとともに、ソース容器Ｃを２つの支持平面（第１の支持平面１５２および第２の支持平面１５４）で支持するのでソース容器Ｃを安定して支持することができるようになる（ホールド性が向上する）。
（３）上記に加えて、力Ｆ３は、切片部１５６を切り込み１２４の方向へ押し込む力として作用するので、支持部１５０が本体部１１０に強固に接合され、食品可搬用パッケージ１００の全体が安定する。
【００３３】
その結果、ソース容器Ｃの形状が（本体部に比較して）大きくなっても、または、ソース自体の重量を含むソース容器Ｃの重量が重くなっても、支持部１５０が下方へ変形することもなく、支持部１５０が本体１１０に強固に接合され、食品可搬用パッケージ１００の全体が安定する。
さらに、本実施の形態に係る食品可搬用パッケージ１００は、図３に示すように、平面形状の切欠部１５４Ｈ２における周縁１５４Ｈ３に対向する端部１５４Ｈ４は、他の支持平面である第１の支持平面１５２に当接されていたり、図３に点線で示すように、上縁１
１６の裏面または本体部１１０の支持側面１２０に当接されていたりする。このため、第１の支持平面１５２と第２の支持平面１５４と本体部１１０の支持側面１２０とにより形成された三角形が補強されることになる。
【００３４】
このように三角形が補強されるために、上述した（１）の作用効果の発現がより確実なものとなるとともに、重力によりソース容器Ｃに作用する力Ｆ１を第一義的に受ける第１の支持平面１５２を切欠部１５４Ｈ２が下方から支持するので、第１の支持平面１５２が下方へ折れ曲がることを防止することができる。
なお、上述したように、第２の支持平面１５４に替えたりまたは第２の支持平面１５４に加えたりして第１の支持平面１５２に切欠部１５４Ｈ１および切欠部１５４Ｈ２に対応する切欠部を設けて両方とも下方へ向けて折り曲げることにより第１の収納穴１５２Ｈを形成するとともに端部１５４Ｈ４に対応する端部を第２の支持平面１５４に当接させるようにした場合にも、同じように三角形を補強することができて、上述した作用効果を発現させることができる。
【００３５】
［作用効果］
以上のようにして、所定の形状を備え、予め定められた位置に切り欠き等を有する平面部材である硬質の紙を折り曲げて立体形状とした本実施の形態に係る食品可搬用パッケージによると、重力によりソース容器Ｃに作用する力は第１の支持平面と第２の支持平面と支持側面（の上部）とを３辺とする三角形により支持されるので、力を集中させることなくバランス良く受けることができる。また、ソース容器を支持する支持部の端部が１枚の紙の自由端でなくなる。また、重力によりソース容器Ｃに作用する力は支持部と本体部とを強固に接合する力となって作用する。その結果、支持部が下方へ変形することもなく、支持部が本体に強固に接合され、安定した食品可搬用パッケージを提供することができる。
【００３６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３７】
本発明は、食品可搬用パッケージに好適であり、食品が収納される本体部の開口部の上縁から延設された支持部により安定して（ソース）容器を支持することができる点で特に好適である。
【符号の説明】
【００３８】
１００  食品可搬用パッケージ（パッケージ）
１１０  本体部
１１２（１１２Ａ、１１２Ｂ、１１２Ｃ）  側面
１１４  開口部
１１６  上縁
１２０  支持側面
１２２  側面切片部
１２４  接合部（切り込み）
１２６  接合切欠部
１３２  側面嵌合穴
１５０  支持部
１５２  第１の支持平面
１５４  第２の支持平面
１５６  切片部
１５８  切片切欠部
Ｃ      ソース容器
Ｈ      手
Ｆ      食品
【図１】
0006396720.tif 000002
【図２】
0006396720.tif 000003
【図３】
0006396720.tif 000004
【図４】
0006396720.tif 000005
【図５】
0006396720.tif 000006